(57)【要約】【課題】スポーツ振興くじの「ｔｏｔｏ」や「ＧＯＡＬ」などの予想をコンピュータが決めた予想にしたがって口数等の購入条件を決めて購入（投票）するくじ購入システムにおいて、利用者端末を利用して、自動的に購入する。【解決手段】購入条件を事前に入力する利用者端末と、前記購入条件を登録し、くじ受付サーバが発行するコンピュータの予想くじを購入することが前記購入条件に適合する場合に前記利用者端末に通知する定期購入情報登録サーバとを有し、一定の発売期限までの前記利用者端末からの投票又はキャンセルを受け付ける。【選択図】    図1
2008250653.tif 000002
【特許請求の範囲】
【請求項１】
一又は複数種類のくじをコンピュータの予想に基づいて投票するくじ自動購入システムにおいて、
前記コンピュータの予想くじを発行し、投票期限まで投票を受付するくじ受付サーバと、くじ購入条件を事前に入力する利用者端末と、当該利用者端末から事前入力された前記くじ購入条件を登録し、前記コンピュータの予想くじを購入することが前記くじ購入条件に適合する場合に前記利用者端末に通知する定期購入情報登録サーバとを有し、前記投票期限までに前記利用者端末からの投票又はキャンセルを受け付けることを特徴とするくじ自動購入システム。
【請求項２】
一又は複数種類のくじをコンピュータの予想に基づいて利用者端末から投票するくじ自動購入システムにおいて、
前記利用者端末から事前入力されたくじ購入条件を登録する記憶部と、前記コンピュータの予想くじと投票期限を含む発行情報を受信する受信部と、前記コンピュータの予想くじを購入することが前記くじ購入条件に適合する場合に前記利用者端末に通知する送信部と、前記投票期限までに前記利用者端末からの投票又はキャンセルを受付ける制御部からなる定期購入情報登録サーバを有することを特徴とするくじ自動購入システム。
【請求項３】
請求項１又は２記載のくじ自動購入システムにおいて、前記一又は複数種類のくじとは、２つのチームが得点を競う競技における勝敗を当てるくじ又は得点を当てるくじであることを特徴とするくじ自動購入システム。
【請求項４】
請求項１又は２記載のくじ自動購入システムにおいて、前記一又は複数種類のくじとは、一定距離を走る速さを競う競技における着順を当てるくじ又は着順の組合せを当てるくじであることを特徴とするくじ自動購入システム。
【請求項５】
請求項１又は２記載のくじ自動購入システムにおいて、前記くじ購入条件とは、金融機関の最低残高情報を含むことを特徴とするくじ自動購入システム。
【請求項６】
一又は複数種類のくじをコンピュータの予想に基づいて利用者端末から投票するくじ自動購入方法において、
前記利用者端末から事前入力された購入口数を含むくじ購入条件を登録する工程と、前記コンピュータの予想くじと投票期限を含む発行情報を受信する工程と、前記コンピュータの予想くじを購入することが前記くじ購入条件に適合する場合に前記利用者端末に通知する工程と、前記投票期限までの前記利用者端末からの投票又はキャンセルを受け付ける工程とを含むことを特徴とするくじ自動購入方法。
【発明の詳細な説明】
【技術分野】
【０００１】
この発明はスポーツ振興くじ等のくじの購入に関するものである。
【背景技術】
【０００２】
サッカーのＪリーグが開催する試合について、スポーツ振興くじが行われている。すなわち、試合の勝敗を当てる「ｔｏｔｏ」と、試合の得点を当てる「ＧＯＡＬ」など大きく分けて２種類のくじ種が存在する。
【０００３】
現在行なわれている「ｔｏｔｏ」や「ＧＯＡＬ」は購入者が自分で予想して購入する方法と、コンピュータがランダムに予想してくれるのを購入する方法とがある。携帯端末などの利用者端末を利用して、コンピュータがランダムに予想するくじを購入する場合、購入者の銀行口座に残高があって、その残高の範囲内であれば、コンピュータは自動的に購入してくれる。
【０００４】
特許文献１はスポーツ振興くじの購入（投票）をネットワークを介して受け付けることができ、投票口数が所定の購入金額になるようにコンピュータが投票口数を調整してくれる投票システムである。
【０００５】
特許文献２は自動化機器（ＡＴＭ）と携帯端末を用いて、宝くじを購入するシステムであり、携帯端末の操作時間短縮のために、購入条件を携帯端末に事前登録しておき、宝くじを購入するときは、ＡＴＭの前まで行って購入するものである。
【０００６】
従来、携帯端末などの利用者端末を利用して、コンピュータがランダムに予想するくじを購入（投票）する場合、利用者が自分でシステムにログオンしなければならず、しかもその都度購入口数などの購入条件を設定しなければならなかった。
【０００７】
一方、特許文献１は所定の購入金額になるようにコンピュータが投票口数を減額調整するものであり、コンピュータがランダムに予想をする技術ではない。さらに、特許文献２は携帯端末の操作時間短縮のために、購入条件を携帯端末に事前登録しておくものであるが、宝くじを購入するときは、ＡＴＭの前まで行って購入しなければならないものである。
【特許文献１】特開２００２−１３３０２０
【特許文献２】特開２００５−１１５６８０
【発明の開示】
【発明が解決しようとする課題】
【０００８】
本発明が解決しようとする課題は、スポーツ振興くじの「ｔｏｔｏ」や「ＧＯＡＬ」などについての予想をコンピュータが決めた予想にしたがって口数等の購入条件を決めて購入（投票）するくじ購入システムにおいて、携帯端末などの利用者端末を利用して、自動的に購入するシステムを提供するものである。
【課題を解決するための手段】
【０００９】
本発明の課題を解決するための手段は、一又は複数種類のくじについて、すなわち前記スポーツ振興くじ等の２つのチームが得点を競う競技における勝敗を当てるくじ又は得点を当てるくじについて、コンピュータが決めた予想に基づいて投票するくじ自動購入システムにおいて、購入条件を利用者端末から事前に登録しておく発明である。
【００１０】
すなわち請求項１記載の自動購入システムは、前記コンピュータの予想くじを発行し、一定の投票期限まで投票を受付するくじ受付サーバと、前記購入条件を事前に入力する利用者端末と、当該利用者端末から事前入力された前記購入条件を登録し、前記コンピュータの予想くじを購入することが前記購入条件に適合する場合に前記利用者端末に通知する定期購入情報登録サーバとを有し、前記一定の投票期限までに前記利用者端末からの投票又はキャンセルを受け付ける。
【００１１】
なお、本発明は２つのチームが得点を競う競技における勝敗を当てるくじ又は得点を当てるくじについて適用されるが、競輪や競馬のように、一定距離を走る速さを競う競技における着順を当てるくじ又は着順の組み合わせを当てるくじであっても適用される。
【発明の効果】
【００１２】
本発明によれば、２つのチームが得点を競う競技における勝敗を当てるくじ又は得点を当てるくじ及び、一定距離を走る速さを競う競技における着順を当てるくじ又は着順の組合せを当てるくじについて、コンピュータが決めた予想に基づいて投票（購入）するくじ自動購入システムにおいて、携帯端末などの利用者端末を利用して、自動的に購入するシステムを提供することができる。
【発明を実施するための最良の形態】
【００１３】
本発明を実施するための最良の形態を、サッカーのＪリーグが開催する試合のスポーツ振興くじについて、図面により説明する。図１は本発明のシステム構成図である。１は利用者端末であり、後述するくじ購入条件を送信する。１−１はモバイル端末、１−２はモバイル端末以外の端末であり、本発明のシステムを利用するにはどちらの端末からでも利用することができる。２は当該利用者端末１からくじ購入条件の登録あるいはくじの投票を受付けるＷｅｂログインサーバである。３は利用者の金融機関口座を管理する勘定系ホストであり、投票するくじの代金は当該金融機関口座から引落とされ、当選した賞金は当該金融機関口座に入金される。
【００１４】
４は当該スポーツ振興くじの主催元のくじ受付サーバであり、コンピュータの予想くじと投票期限を含む発行情報を送信し、所定の投票期間に亘り該当する試合の投票を受付ける。
【００１５】
５は前記利用者端末１から送信されたくじ購入条件を登録し、前記くじ受付サーバ4からのコンピュータの予想くじと投票期限を含む発行情報を受信し、前記くじ購入条件に適合するくじがあることを利用者端末１に通知する定期購入情報登録サーバである。そのため当該定期購入情報登録サーバ５は、前記利用者端末１から事前入力されたくじ購入条件を登録する図示しない記憶部と、前記くじ受付サーバ4からの前記コンピュータの予想くじと投票期限を含む発行情報を受信する図示しない受信部と、前記くじ購入条件に適合するくじがあることを利用者端末１に通知する図示しない送信部と、これらを制御するとともに前記投票期限までに前記利用者端末1からの投票又はキャンセルを受付ける図示しない制御部を有する。
【００１６】
６は利用者端末１へメールを送信するメール送信サーバ、７は利用者端末１からメールを受付けるメール受付サーバである。
【００１７】
図２は利用者端末１から受信するくじ購入条件の登録の動作を示すフローチャートである。利用者端末１はまず、ステップ２１でログインを行なうと、Ｗｅｂログインサーバ２はステップ２２でログイン受付を行なう。次に利用者端末１はステップ２３で各種サービスのうちくじ自動購入手続を選択すると、Ｗｅｂログインサーバ２はステップ２４でこれを受信する。利用者端末１はステップ２５で後述する自動購入手続内容を設定すると、Ｗｅｂログインサーバ２はステップ２６でこれを受信し、ステップ２７で確認依頼を行なう。利用者端末１はステップ２８でこれを確認し、ステップ２９で送信する。
【００１８】
Ｗｅｂログインサーバ２はステップ３０でこれを受信すると、ステップ３１で定期購入情報登録サーバ５へ登録依頼を行なう。定期購入情報登録サーバ５はステップ３２で前記利用者端末１からの自動購入手続の内容を図示しない記憶部に登録する。以上でくじ購入条件の登録の動作が終了する。
【００１９】
図３は定期購入情報登録サーバ５がくじ発行情報の入手後、利用者端末１に通知するまでの動作を示すフローチャートである。今仮に、スポーツ振興くじにおいて指定された試合に関して、第１試合がＡチーム対Ｂチーム、第２試合がＣチーム対Ｄチーム、第３試合がＥチーム対Ｆチーム、以下全部で１３試合指定されたとする。
【００２０】
定期購入情報登録サーバ５は、ステップ４１でくじ受付サーバ4に対し、現在発行しているくじ種についてコンピュータの予想くじがあるかどうか定期的に問合せをする。
【００２１】
くじ受付サーバ４はステップ４２でこの問合せを受信し、現在発行しているくじ種について、コンピュータの予想くじと投票期限を含む発行情報をステップ４３で送信する。定期購入情報登録サーバ５はこれを図示しない受信部で受信し、前記記憶部で登録した前記くじ購入条件を照合し、ステップ４４で購入可能くじ情報があるかどうかを判断する。なお、くじ購入条件のうち、最低残高を満たしているかどうかの判断は後述するステップ５３で行なう。
【００２２】
ここで、コンピュータの予想が、第１試合はＡチームの勝ち、第２試合は引分け、第３試合はＦチームが勝ち、以下全部で１３試合を予想したとし、これを仮に第１パターンとして、他のパターンは説明を省略する。さらに利用者は仮に購入条件の口数を３口設定しているとすると、くじ受付サーバ４から受信するコンピュータ予想くじは３パターンとなる。これを前記第１パターンから第３パターンとする。
【００２３】
次に、定期購入情報登録サーバ５は、ステップ４５で同じ開催回で当該利用者が既に購入しているくじ購入履歴をくじ受付サーバ４に問い合わせる。くじ受付サーバ４はステップ４６でこの問合せを受信し、利用者の購入履歴をステップ４７で送信する。定期購入情報登録サーバ５はこれを受信し、ステップ４８で利用者が購入しているかを判断する。利用者が既に購入しているくじがあればステップ４９でコンピュータの予想くじから利用者が既に購入したくじの口数を除外する。今仮に、利用者が事前に購入したくじが一口存在していたとすると、その予想は第１試合が引分け、第２試合がＣチームの勝ち、第３試合がＥチームの勝ち、以下１３試合を予想したとし、これを第４パターンとする。このように利用者が一口分事前購入していたので、定期購入情報登録サーバ５はくじ受付サーバ４から受信したコンピュータの予想くじの第１パターンから第３パターンのうち一つを除外する。
【００２４】
なお、ステップ４５からステップ４９は、同じ開催回で当該利用者が既に購入しているくじがあればくじ購入条件から除外するものであるが、これは後述するように、購入条件の登録時に購入済のくじを除外するように設定した場合である。購入済のくじをくじ購入条件から除外しないように設定した場合（すなわち購入済のくじがあっても、くじ購入条件で設定した購入口数は変わらない）はステップ４５からステップ４９は行なわない。
【００２５】
次に、定期購入情報登録サーバ５は、ステップ５０で勘定系ホスト３に対して利用者の金融機関の口座の残高を問い合わせる。勘定系ホスト３はステップ５１でこれを受信すると、ステップ５２で残高を送信する。定期購入情報登録サーバ５は、ステップ５３で、利用者がコンピュータの予想くじを購入した場合、前記残高条件を満たされるかどうかを判断する。満たす場合は、ステップ５４で図示しない送信部からメール送信サーバ６に対し、送信を指示する。当該メール送信サーバ６は、ステップ５５で、利用者端末１にコンピュータの予想くじを通知する。
【００２６】
一方、ステップ５３で残高を満たさない場合、後述するように、購入条件の登録時に設定した登録条件に従う。すなわち、ステップ５７で利用者端末１に通知するかまたは通知しない。
【００２７】
図４は図２のくじ購入条件の登録動作のフローチャートで説明した利用者端末１の操作画面を示す説明図である。６１はステップ２１のログイン入力時のログイン画面であり、６２はステップ２３の各種サービス選択の画面であり、６３は自動購入手続内容設定の受付画面であり、６４はステップ２５の自動購入手続内容設定の画面である。その詳細は図５で説明する。６５はステップ２８の手続内容確認の画面である。
【００２８】
図５は利用者端末１の自動購入手続内容設定時の画面を示す説明図であり、同図（ａ）における６４は自動購入手続内容設定画面である。また、「利用者名」、「ユーザＩＤ」、「ユーザ名」、「現在の残高」は設定内容入力前に表示済とし説明は省略する。
【００２９】
次の「自動購入手続設定内容」は以下の質問形式に対し利用者が回答入力する。すなわち「（１）購入のタイミングはどれにしますか」に対しては、７２のプルダウンメニューより選択する。同図（ｂ）にプルダウンメニュー７２の例を示す。同図中「メール送信時」とは、前記ステップ５５でメール送信サーバ６が利用者端末１にコンピュータの予想くじを通知する時点がくじ購入の時点であることを設定する場合であり、「返信メール受付時」とは、当該コンピュータの予想くじの通知後に、利用者端末１からの「投票」の返信メールをメール受付サーバ７が受付けた時点がくじ購入の時点であることを設定する場合である。「Ｗｅｂログイン処理後」とは、当該コンピュータの予想くじの通知の時点とは別に、後で利用者端末１がＷｅｂログインサーバ２に投票する場合である。
【００３０】
「（２）どのくじ種を購入しますか」に対して、利用者は１〜５のくじ種プルダウンメニュー７３からくじ種を選択する。図中１〜５は優先順位を意味する。同図（ｃ）にサッカーのＪリーグが開催する試合についてのスポーツ振興くじ種を示す。「ｔｏｔｏ」は指定された１３試合のホームチームの９０分間での「勝ち」「その他（引き分け・延長）」「負け」を予想するくじである。「ｍｉｎｉ  ｔｏｔｏ」は指定された５試合のホームチームの９０分間での「勝ち」「その他」「負け」を予想するくじである。「ｔｏｔｏ  ＧＯＡＬ  ３」は指定された３試合６チームの得点数を「０点」「１点」「２点」「３点以上」を予想するくじである。「ｔｏｔｏ  ＧＯＡＬ  ２」は指定された２試合４チームの得点数を「０点」「１点」「２点」「３点以上」を予想するくじである。「ＢＩＧ」は指定された１４試合のホームチームの９０分間での「勝ち」「その他」「負け」を予想するくじである。「ｍｉｎｉ  ＢＩＧ」は指定された９試合のホームチームの９０分間での「勝ち」「その他」「負け」を予想するくじである。
【００３１】
「（３）購入する口数は何口にしますか」に対しては、くじ種によって単価は１００円又は３００円なので、利用者は希望する口数を入力する。
【００３２】
「（４）最低残高はいくらにしますか」については、くじの購入代金が利用者の金融機関の口座からの引落なので、購入した後の残高を設定する。当然最低残高以下になった場合には自動購入はすることができない。
【００３３】
「（５）同じ開催回で購入済みのくじがある場合、購入済みくじを上記設定から除きますか」に対しては、利用者が自動購入をする前に、同じ開催回についてのくじを事前購入していた場合、例えば上記（３）で設定した購入口数は、事前購入分を含めるか、除くかを選択することができる。
【００３４】
「（６）購入条件（残高）を満たしていない場合、通知する必要がありますか」については、利用者はどちらかを選択することができる。その結果、前記ステップ５７で利用者端末１へ通知されるか又は通知されないことになる。
【００３５】
「（７）販売終了時刻になると自動購入にしますか、自動キャンセルにしますか」については、当該スポーツ振興くじは、試合が開始される数十分前に発売が終了するため、発売中に投票またはキャンセルの意思表示をしなかった場合、自動購入か、自動キャンセルかを選択するためのものである。自動購入を選択した場合は、発売期間中キャンセルを行なわない限り、期限を過ぎると自動的に購入になる。自動キャンセルを選択した場合、期間中投票しない限り、期限を過ぎると自動的にキャンセルになる。
【００３６】
以上（１）から（７）で入力した自動購入手続設定内容を確認し設定ボタン７４をクリックすると前記ステップ２５でＷｅｂログインサーバ２へ送信される。なお、７５は設定した手続内容を取消す場合の設定取消ボタンであり、説明は省略する。
【００３７】
図６は前記自動キャンセルを選択した場合のフローチャートである。利用者端末１はステップ８１で投票を行なうと、メール受付サーバ７はステップ８２でこれを受信し、定期購入情報登録サーバ５にこれを送る。定期購入情報登録サーバ５はステップ８３でこれを受信すると、ステップ８４で図示しない制御部はこの投票が発売期間内か判断する。
【００３８】
発売期間外であると、すでに自動キャンセルの処理は済んでいることになるのでステップ８５でこれを確認する。発売期間内であると、ステップ８６で勘定系ホスト３に対し口座引落しを指示する。勘定系ホスト３はステップ８７でこれを受信すると、ステップ８８で該当口座から口座引落しを行ない、定期購入情報登録サーバ５に回答する。定期購入情報登録サーバ５はこれを受けて、ステップ８９でくじ受付サーバ４に対し、くじの購入を指示する。くじ受付サーバ４はステップ９０でくじを購入する。
【００３９】
図７は前記自動購入を選択した場合のフローチャートである。利用者端末１はステップ９１でキャンセルを行なうと、メール受付サーバ７はステップ９２でこれを受信し、定期購入情報登録サーバ５にこれを送る。定期購入情報登録サーバ５はステップ９３でこれを受信すると、ステップ９４で図示しない制御部はこのキャンセルが発売期間内か判断する。
【００４０】
発売期間外であると、すでに自動購入の処理は済んでいることになるのでステップ９５でこれを確認する。発売期間内であると、ステップ９６でキャンセル処理を行なう。
【実施例１】
【００４１】
前記発明を実施するための最良の形態は、２つのチームが得点を競う競技における勝敗を当てるくじ又は得点を当てるくじ、すなわち、サッカーのＪリーグが開催する試合についてのスポーツ振興くじであるが、実施例１は、競輪や競馬のように一定距離を走る速さを競う競技における着順を当てるくじ又は着順の組合せを当てるくじである。
【００４２】
この場合のくじ種は以下のようになる。すなわち、「単勝」、「馬単」、「馬連」、「枠連」、「複勝」、「ワイド」、「３連複」、「３連単」である。それぞれの内容説明は省略する。利用者はステップ２５で自動購入手続内容設定画面６４（図５（ａ））のくじ種選択の際、くじ種プルダウンメニュー７３（図５（ｃ））からこれらを選択する。以降は前記発明を実施するための最良の形態の説明と同様である。これにより、一定距離を走る速さを競う競技における着順を当てるくじ又は着順の組合せを当てるくじの場合も自動購入を行なうことができる。
【図面の簡単な説明】
【００４３】
【図１】本発明を実施するための最良の形態についてのシステム構成図である。
【図２】くじ購入条件の登録の動作を示すフローチャートである。
【図３】くじ発行情報の入手後、利用者端末に通知するまでの動作を示すフローチャートである。
【図４】利用者端末の操作画面を示す説明図である。
【図５】利用者端末の自動購入手続内容設定時の画面を示す説明図である。
【図６】自動キャンセルを選択した場合のフローチャートである。
【図７】自動購入を選択した場合のフローチャートである。
【符号の説明】
【００４４】
１    利用者端末
２    Ｗｅｂログインサーバ
３    勘定系ホスト
４    くじ受付サーバ
５    定期購入情報登録サーバ
６    メール送信サーバ
７    メール受付サーバ
６４    自動購入手続内容設定画面
７３    くじ種プルダウンメニュー
【図１】
2008250653.tif 000003
【図２】
2008250653.tif 000004
【図３】
2008250653.tif 000005
【図４】
2008250653.tif 000006
【図５】
2008250653.tif 000007
【図６】
2008250653.tif 000008
【図７】
2008250653.tif 000009